(57)【要約】      （修正有）【課題】台紙の裏面に接着された紙片の配置変更を容易にすることができ、且つ、その裏面に施した独自のデザインを容易にデザイン性の高いものとすることができる、郵便用葉書を提供する。【解決手段】台紙１０の裏面１０ａと透明なフィルム２０との間に紙片を配置して独自のデザインを施すことができる郵便用葉書１Ａであって、台紙１０は、その裏面１０ａに、予め所定の模様または色彩が施されて構成されるとともに、フィルム２０および紙片を再接着再剥離可能な接着力を有するように構成される配置部１１を備え、フィルム２０は、フィルム２０の一部が固定されて開閉可能となるように台紙１０に設けられる。【選択図】図１
0003164536.tif 000002
【実用新案登録請求の範囲】
【請求項１】
台紙の裏面と透明なフィルムとの間に紙片を配置して独自のデザインを施すことができる、（公序良俗違反につき、不掲載）であって、前記台紙は、その裏面に、予め所定の模様または色彩が施されて構成されるとともに、前記フィルムおよび前記紙片を再接着再剥離可能な接着力を有するように構成される配置部を備え、前記フィルムは、前記フィルムの一部が固定されて開閉可能となるように前記台紙に設けられる、（公序良俗違反につき、不掲載）。
【請求項２】
前記台紙の裏面と前記フィルムとの間に配置されるとともに、前記台紙の配置部から剥離可能に構成され、前記台紙の配置部に前記紙片を配置する際に前記台紙の裏面と前記フィルムとの間から除去される、剥離紙を具備する、請求項１に記載の（公序良俗違反につき、不掲載）。
【請求項３】
前記台紙は、その裏面に、前記フィルムにおける固定された部分以外の部分と合わせて前記配置部を囲うように配置されるとともに、前記フィルムを固定可能な接着力を有するように構成される固定部を備える、請求項１に記載の（公序良俗違反につき、不掲載）。
【請求項４】
前記台紙の裏面と前記フィルムとの間に配置されるとともに、前記台紙の配置部および固定部から剥離可能に構成され、前記台紙の配置部に前記紙片を配置する際に前記台紙の裏面と前記フィルムとの間から除去される、剥離紙を具備する、請求項３に記載の（公序良俗違反につき、不掲載）。
【請求項５】
前記台紙は、その裏面に、前記所定の模様または色彩が施された後に、前記フィルムが前記台紙に設けられる、前記請求項１から請求項４のいずれか１項に記載の（公序良俗違反につき、不掲載）。
【考案の詳細な説明】
公序良俗違反のため、不掲載とする。
【図１】
0003164536.tif 000003
【図２】
0003164536.tif 000004
【図５】
0003164536.tif 000005
【図６】
0003164536.tif 000006
【図７】
0003164536.tif 000007
【図８】
0003164536.tif 000008
【図９】
0003164536.tif 000009
【図１０】
0003164536.tif 000010
【図３】
0003164536.tif 000011
【図４】
0003164536.tif 000012
【手続補正書】
【提出日】平成22年9月24日(2010.9.24)
【手続補正１】
【補正対象書類名】明細書
【補正対象項目名】全文
【補正方法】変更
【補正の内容】
【考案の詳細な説明】
【技術分野】
【０００１】
本考案は、独自のデザインを施すことができる郵便用葉書の技術に関する。
【背景技術】
【０００２】
従来、台紙の裏面と透明なフィルムとの間に紙片（写真、印刷物、着色された紙、若しくは、ザインが施された紙、または、これらの切断してなるもの）を配置して独自のデザインを施すことができる郵便用葉書、の技術は公知となっている（特許文献１参照）。
このような郵便用葉書では、その台紙の裏面に、紙片を再接着再剥離可能な接着剤が設けられる。
【先行技術文献】
【特許文献】
【０００３】
【特許文献１】実開昭６１−２０３６７号公報
【考案の概要】
【考案が解決しようとする課題】
【０００４】
しかしながら、当該郵便用葉書では、紙片が台紙の裏面に配置されてこれに接着されると、当該台紙の裏面から剥がすことが困難である。このため、一旦、当該郵便用葉書では、台紙の裏面に接着された紙片の配置を変更することが困難である。
また、当該郵便用葉書の裏面は、白色やこれに近い色で無地のものが一般的である。このため、当該郵便用葉書では、その裏面に独自のデザインを施したものをデザイン性の高いものとするためには、多くの紙片を台紙の裏面に配置することを要する。このため、当該郵便用葉書では、郵便用葉書の裏面に施す独自のデザインを、デザイン性の高いものとすることが困難である。
【０００５】
即ち、本考案は以上の如き状況に鑑みてなされたものであり、台紙の裏面に接着された紙片の配置変更を容易にすることができ、且つ、郵便用葉書の裏面に施す独自のデザインを容易にデザイン性の高いものとすることができる、郵便用葉書を提供することを課題とする。
【課題を解決するための手段】
【０００６】
本考案の解決しようとする課題は以上の如くであり、次にこの課題を解決するための手段を説明する。
【０００７】
即ち、請求項１においては、台紙の裏面と透明なフィルムとの間に紙片を配置して独自のデザインを施すことができる、郵便用葉書であって、前記台紙は、その裏面に、予め所定の模様または色彩が施されて構成されるとともに、前記フィルムおよび前記紙片を再接着再剥離可能な接着力を有するように構成される配置部を備え、前記フィルムは、前記フィルムの一部が固定されて開閉可能となるように前記台紙に設けられるものである。
【０００８】
請求項２においては、前記台紙の裏面と前記フィルムとの間に配置されるとともに、前記台紙の配置部から剥離可能に構成される、剥離紙を具備するものである。
【０００９】
請求項３においては、前記台紙は、その裏面に、前記フィルムにおける固定された部分以外の部分と合わせて前記配置部を囲うように配置されるとともに、前記フィルムを固定可能な接着力を有するように構成される固定部を備えるものである。
【００１０】
請求項４においては、前記台紙の裏面と前記フィルムとの間に配置されるとともに、前記台紙の配置部および固定部から剥離可能に構成される、剥離紙を具備するものである。
【００１１】
請求項５においては、前記台紙は、その裏面に、前記所定の模様または色彩が施された後に、前記フィルムが前記台紙に設けられるものである。
【考案の効果】
【００１２】
本考案の効果として、以下に示すような効果を奏する。
【００１３】
請求項１においては、台紙の裏面に接着された紙片の配置変更を容易にすることができ、且つ、郵便用葉書の裏面に施す独自のデザインを容易にデザイン性の高いものとすることができる。
【００１４】
請求項２においては、台紙の配置部に紙片を配置するときまで、台紙の配置部に設けられる接着剤の接着性を維持することができる。
【００１５】
請求項３においては、台紙の配置部に配置された紙片が脱落しないように、確実に、紙片を保持することができる。
【００１６】
請求項４においては、台紙の配置部に紙片を配置するときまで、台紙の配置部および固定部に設けられる接着剤の接着力を保持することができる。
【００１７】
請求項５においては、フィルムの固定部分にも、所定の模様または色彩が施されるため、デザイン性が損なわれることを防止することができる。
【図面の簡単な説明】
【００１８】
【図１】本考案の第一実施形態に係る郵便用葉書を示した平面図。
【図２】同じく層状の構成を示した一部断面模式図。
【図３】（ａ）本考案の第一実施形態に係る郵便用葉書の台紙を示した平面図、（ｂ）同じく平面図。
【図４】本考案の第一実施形態に係る郵便用葉書を示した斜視図。
【図５】本考案の第一実施形態に係る郵便用葉書を示した平面図。
【図６】同じく層状の構成を示した一部断面模式図。
【図７】本考案の第二実施形態に係る郵便用葉書を示した平面図。
【図８】同じく層状の構成を示した一部断面模式図。
【図９】本考案の第二実施形態に係る郵便用葉書を示した平面図。
【図１０】同じく層状の構成を示した一部断面模式図。
【考案を実施するための形態】
【００１９】
次に、本考案の第一実施形態に係る郵便用葉書を、図１から図６を用いて説明する。
【００２０】
郵便用葉書１Ａは、図１または図２に示すように、台紙１０とフィルム２０とを具備し、台紙１０の裏面１０ａとフィルム２０との間に紙片５０を配置して（図４参照）独自のデザインを施すことができるものである。
ここで、紙片５０とは、写真、印刷物、着色された紙、若しくは、ザインが施された紙、または、これらの切断してなるもの、等を示す。
【００２１】
郵便用葉書１Ａの台紙１０は、郵便用葉書と同等の形状である平面視長方形に形成される厚紙素材からなるものである。
郵便用葉書１Ａの表面には、郵便用葉書またはＰＯＳＴＣＡＲＤ、郵便切手貼付部のマーク、等が印刷されている。
郵便用葉書１Ａの台紙１０の裏面１０ａには、予め、所定の模様や色彩が施される。
郵便用葉書１Ａの台紙１０における所定の模様や色彩は、例えば、ストライプ柄（図３（ａ）参照）や、水玉柄（図３（ｂ）参照）のデザインが印刷されることにより、台紙１０の裏面１０ａに施される。
【００２２】
郵便用葉書１Ａのフィルム２０は、台紙１０と略同一形状に形成される透明な樹脂素材からなるものである。郵便用葉書１Ａのフィルム２０は、台紙１０とフィルム２０との四辺同士が一致するように、台紙１０の裏面１０ａに配置される。
郵便用葉書１Ａのフィルム２０は、フィルム２０の一部が固定されて開閉可能となるように台紙１０の裏面１０ａに設けられる。
郵便用葉書１Ａのフィルム２０における縁部のうちの一つの縁部である上方の縁部２１が、台紙１０の裏面１０ａにおける上方の縁部１２に、接着剤で固定される。
このように郵便用葉書１Ａのフィルム２０が台紙１０の裏面１０ａに設けられることにより、フィルム２０は、その上方の縁部２１以外の部分が開閉可能となるように、台紙１０の裏面１０ａに設けられる。即ち、フィルム２０は、その上方の縁部２１以外の部分を持上げて台紙１０の裏面１０ａを露出させることができるように、また、当該上方の縁部２１以外の部分を下ろして台紙１０の裏面１０ａを被覆することができるように、台紙１０の裏面１０ａに設けられる。
【００２３】
また、郵便用葉書１Ａの台紙１０は、その裏面１０ａに、紙片５０を配置するための配置部１１を備える。
郵便用葉書１Ａの台紙１０における配置部１１は、台紙１０の裏面１０ａにおいてフィルム２０が固定される部分を除いた部分に配置される。
郵便用葉書１Ａの台紙１０における配置部１１は、これに配置される紙片５０および郵便用葉書１Ａのフィルム２０を、再接着再剥離可能な接着力を有するように構成される。郵便用葉書１Ａの台紙１０における配置部１１全体に、これに配置される紙片５０および郵便用葉書１Ａのフィルム２０を再接着再剥離可能な接着力を有する接着剤１１ａが、設けられる（図２参照）。
ここで、郵便用葉書１Ａの台紙１０における配置部１１の再接着再剥離可能な接着力とは、紙片５０を、その配置部１１に配置してこれに接着させた状態から剥離させることができるとともに、紙片５０を、剥離させた状態から配置部１１に接着させることができ、且つ、フィルム２０を、その配置部１１に接着させた状態から剥離させることができるとともに、紙片５０を、剥離させた状態から配置部１１に接着させることができるような接着力をいう。
【００２４】
このように構成された郵便用葉書１Ａでは、まず、台紙１０の配置部１１（台紙１０の裏面１０ａ）を露出させるようにしてそのフィルム２０を開く。次に、所望の紙片５０を、前記台紙１０の配置部１１における所望の位置に配置して、配置部１１に接着させる。そして、前記台紙１０の配置部１１（台紙１０の裏面１０ａ）を被覆するようにして前記開いた状態のフィルム２０を閉じてこれを配置部１１に接着させ、配置部１１に配置された紙片５０が配置部１１から脱落しないように当該紙片５０を保持する。このようにして郵便用葉書１Ａでは、その裏面１０ａに独自のデザインを施す（図４参照）。
【００２５】
以上のように、郵便用葉書１Ａは、配置部１１を備える台紙１０を具備する。郵便用葉書１Ａの台紙１０における配置部１１は、これに配置される紙片５０を再接着再剥離可能な接着力を有するように、構成される。
したがって、郵便用葉書１Ａによれば、台紙１０の裏面１０ａに接着された紙片５０の配置変更を容易にすることができる。
【００２６】
また、郵便用葉書１Ａは、透明なフィルム２０と、裏面１０ａに予め所定の模様または色彩が施されて構成される台紙１０と、を備える。
したがって、郵便用葉書１Ａによれば、台紙１０の配置部１１に多くの紙片５０を配置することを要さずに、台紙１０の裏面１０ａに施された前記所定の模様等を利用して、郵便用葉書１Ａの裏面に施す独自のデザインを、容易にデザイン性の高いものとすることができる。
【００２７】
また、郵便用葉書１Ａのフィルム２０は、その一部が固定されて開閉可能となるように前記台紙１０に設けられる。
したがって、郵便用葉書１Ａによれば、フィルム２０が台紙１０に固定されつつ開閉可能に構成されるので、開いた状態のフィルム２０を閉じて台紙１０の配置部１１に接着させる際に、容易に、台紙１０とフィルム２０との四辺同士が一致するようにフィルム２０を閉じることができる。即ち、郵便用葉書１Ａによれば、フィルム２０を閉じる際のフィルム２０の位置ズレを抑制することができる。
【００２８】
また、郵便用葉書１Ａでは、台紙１０の裏面１０ａに所定の模様または色彩が施された後に、フィルム２０を固定するための接着剤が台紙１０の裏面１０ａに塗布されて、当該台紙１０の裏面１０ａにフィルム２０が固定される。
このため、郵便用葉書１Ａでは、その台紙１０におけるフィルム２０が固定される部分にも、所定の模様または色彩が施されることとなる。
したがって、郵便用葉書１Ａによれば、その台紙１０の裏面１０ａに所定の模様または色彩が施される構成であっても、紙片５０を配置して施した独自のデザインのデザイン性が損なわれることを防止することができる。
【００２９】
郵便用葉書１Ａは、図５または図６に示すように、剥離紙３０を具備するように構成してもよい。
郵便用葉書１Ａの剥離紙３０は、台紙１０の裏面１０ａにおいてフィルム２０が固定される部分を除いた部分の形状と略同一の形状に形成される。郵便用葉書１Ａの剥離紙３０は、台紙１０における配置部１１から剥離可能に構成される。郵便用葉書１Ａの剥離紙３０は、台紙１０の裏面１０ａとフィルム２０との間に配置される。郵便用葉書１Ａの剥離紙３０は、台紙１０の配置部１１に紙片５０を配置する際に、台紙１０の裏面１０ａとフィルム２０との間から除去される。
以上のように郵便用葉書１Ａが剥離紙３０を具備する構成とすることにより、台紙１０の配置部１１に紙片５０を配置するときまで、台紙１０における配置部１１の接着性を維持することができ、また、接着剤１１ａが付着してフィルム２０が汚れることを防止することができる。
【００３０】
なお、郵便用葉書１Ａは、第二種郵便として取扱われるような構成に限定しない。例えば、郵便用葉書１Ａの台紙１０を、第二種郵便扱いとならないような形状としてもよく、樹脂素材からなるものとしてもよい。
郵便用葉書１Ａのフィルム２０は、これを閉じた際に台紙１０の配置部１１に配置された紙片５０を保持可能な形状であればよく、台紙１０より小さい形状（例えば、台紙１０より小さい、円形、長方形、正方形、または、五角形等、）に形成されてもよい。
郵便用葉書１Ａのフィルム２０は、半透明状に構成されてもよく、一部に印刷がされて構成されてもよい。
郵便用葉書１Ａの剥離紙３０の形状は、台紙１０における配置部１１とフィルム２０との間に配置することができるような形状であればよい。
【００３１】
次に、本考案の第二実施形態に係る郵便用葉書１Ｂを、図７から図１０を用いて説明する。
なお、第二実施形態に係る郵便用葉書１Ｂは、第一実施形態に係る郵便用葉書１Ａと同様の構成を有する部分があるため、郵便用葉書１Ｂの説明は、郵便用葉書１Ａと同様の構成の部分については適宜省略し、郵便用葉書１Ａの構成と異なる部分を中心に説明する。
【００３２】
郵便用葉書１Ｂの台紙１０は、図７または図８に示すように、配置部１１と、開いた状態のフィルム２０を閉じた際に当該フィルム２０を台紙１０に固定するための固定部１３と、を備える。
郵便用葉書１Ｂの台紙１０における固定部１３は、台紙１０の裏面１０ａにおいてフィルム２０が固定される上方の縁部１２以外の縁部（台紙１０の裏面１０ａの、左方の縁部、右方の縁部、および、下方の縁部）に配置される。
郵便用葉書１Ｂの台紙１０における配置部１１は、台紙１０の裏面１０ａにおいて、フィルム２０が固定される部分以外の部分、および、固定部１３以外の部分、に配置される。即ち、郵便用葉書１Ｂの台紙１０における配置部１１は、台紙１０の裏面１０ａにおいて、フィルム２０が固定される部と固定部１３とを合わせて、これらに囲われるように配置される。
【００３３】
郵便用葉書１Ｂの台紙１０の配置部１１と固定部１３とは、それぞれ異なる接着力を有するように構成される。
郵便用葉書１Ｂの台紙１０における固定部１３は、開いた状態のフィルム２０を閉じた際に当該フィルム２０を固定可能な接着力を有するように構成される。郵便用葉書１Ｂの台紙１０における固定部１３全体に、開いた状態のフィルム２０を閉じた際に当該フィルム２０を固定可能な接着力を有する接着剤１３ａが、設けられる（図８参照）。
ここで、郵便用葉書１Ｂの台紙１０における固定部１３の固定可能な接着力は、フィルム２０をその固定部１３に接着させた状態から容易に剥離させることが困難な程度の接着力があればよいものとする。
【００３４】
このように構成された郵便用葉書１Ｂでは、所望の紙片５０を、台紙１０の配置部１１における所望の位置に配置して、配置部１１に接着させ、前記台紙１０の配置部１１（台紙１０の裏面１０ａ）を被覆するようにして前記開いた状態のフィルム２０を閉じて配置部１１に接着させるとともに、固定部１３にフィルム２０を接着させて固定する。
【００３５】
以上のように、郵便用葉書１Ｂは、配置部１１と固定部１３とを備える台紙１０を具備する。郵便用葉書１Ｂの台紙１０における固定部１３は、その裏面１０ａに、フィルム２０における固定された部分以外の部分と合わせて配置部１１を囲うように配置されるとともに、フィルム２０を固定可能な接着力を有するように、構成される。
このため、郵便用葉書１Ｂでは、台紙１０の固定部１３にフィルム２０が固定されることにより、台紙１０の配置部１１とフィルム２０の台紙１０側の面とで形成される空間が封鎖されたようになる。
したがって、郵便用葉書１Ｂによれば、その台紙１０の配置部１１に配置された紙片５０が脱落しないように、確実に、紙片５０を保持することができる。
【００３６】
郵便用葉書１Ｂは、図９または図１０に示すように、剥離紙３０を具備するように構成してもよい。
郵便用葉書１Ｂの剥離紙３０は、台紙１０における配置部１１および固定部１３から剥離可能に構成される。郵便用葉書１Ｂの剥離紙３０は、台紙１０の裏面１０ａとフィルム２０との間に配置される。郵便用葉書１Ｂの剥離紙３０は、台紙１０の配置部１１に紙片５０を配置する際に、台紙１０の裏面１０ａとフィルム２０との間から除去される。
以上のように郵便用葉書１Ｂが剥離紙３０を具備する構成とすることにより、台紙１０の配置部１１に紙片５０を配置するときまで、台紙１０における配置部１１および固定部１３の接着性を維持することができ、また、接着剤１１ａ・１３ａが付着してフィルム２０が汚れることを防止することができる。
【００３７】
郵便用葉書１Ｂの台紙１０における配置部１１と固定部１３とは、同一仕様の接着剤をそれぞれに設けて、それぞれ異なる接着力を有するように構成してもよい。例えば、郵便用葉書１Ｂの台紙１０における固定部１３全体に、開いた状態のフィルム２０を閉じた際に当該フィルム２０を固定可能な接着力を有する接着剤を設けるとともに、その配置部１１には、これに配置される紙片５０および郵便用葉書１Ｂのフィルム２０を再接着再剥離可能なように、前記接着剤を、複数のドット状、網状、または、斜線状に、配置してもよい。
またこの際、郵便用葉書１Ｂの台紙１０における配置部１１に、これに配置される紙片５０および郵便用葉書１Ｂのフィルム２０を再接着再剥離可能なように、前記接着剤を、丸形や星形や企業ロゴ等の所定の形状のものを複数個散りばめるように、配置してもよい。このように、前記接着剤を、丸形や星形や企業ロゴ等の所定の形状のものを複数個散りばめるように配置することにより、郵便用葉書１Ｂの裏面に施す独自のデザインを、よりデザイン性の高いものとすることができ、また、郵便用葉書１Ｂを企業の宣伝や試供品等にも用いることができる。
また、郵便用葉書１Ｂの台紙１０における固定部１３は、台紙１０の配置部１１に配置された紙片５０がその隙間から脱落しないような構成であれば、間欠的に配置されるような構成でもよい。
【符号の説明】
【００３８】
１Ａ    郵便用葉書
１０    台紙
１０ａ  裏面
１１    配置部
１３    固定部
２０    フィルム
２１    上方の縁部
３０    剥離紙
【手続補正２】
【補正対象書類名】実用新案登録請求の範囲
【補正対象項目名】全文
【補正方法】変更
【補正の内容】
【実用新案登録請求の範囲】
【請求項１】
台紙の裏面と透明なフィルムとの間に紙片を配置して独自のデザインを施すことができる、郵便用葉書であって、
前記台紙は、その裏面に、予め所定の模様または色彩が施されて構成されるとともに、前記フィルムおよび前記紙片を再接着再剥離可能な接着力を有するように構成される配置部を備え、
前記フィルムは、前記フィルムの一部が固定されて開閉可能となるように前記台紙に設けられる、
郵便用葉書。
【請求項２】
前記台紙の裏面と前記フィルムとの間に配置されるとともに、前記台紙の配置部から剥離可能に構成される、剥離紙を具備する、請求項１に記載の郵便用葉書。
【請求項３】
前記台紙は、その裏面に、前記フィルムにおける固定された部分以外の部分と合わせて前記配置部を囲うように配置されるとともに、前記フィルムを固定可能な接着力を有するように構成される固定部を備える、請求項１に記載の郵便用葉書。
【請求項４】
前記台紙の裏面と前記フィルムとの間に配置されるとともに、前記台紙の配置部および固定部から剥離可能に構成される、剥離紙を具備する、請求項３に記載の郵便用葉書。
【請求項５】
前記台紙は、その裏面に、前記所定の模様または色彩が施された後に、前記フィルムが前記台紙に設けられる、前記請求項１から請求項４のいずれか１項に記載の郵便用葉書。